(57)【要約】【課題】３次元フィルタを含むタッチパネルの製造方法を提供すること。【解決手段】本発明は、第１の基板の上面に第１のパターンで形成される第１の透明電極と、上記第１の基板の下面に光遮断部と光透明部とが交互に繰り返して形成される３次元フィルタとを形成することによって、３次元フィルタをタッチパネルと一体化させた３次元フィルタ一体型タッチパネルを提供する。【選択図】図２
2012160181.tif 000002
【特許請求の範囲】
【請求項１】
第１の基板の上面に第１のパターンで形成される第１の透明電極と、
前記第１の基板の下面に光遮断部と光透明部とが交互に繰り返して形成される３次元フィルタと、
を備える３次元フィルタ一体型タッチパネル。
【請求項２】
前記第１の基板は、
ポリエチレン樹脂（ｐｏｌｙｅｔｈｙｌｅｎｅ ｔｅｒｅｐｈｔａｌｅｔｅ、ＰＥＴ）、ＰＣ（ｐｏｌｙｃａｒｂｏｎａｔｅ）、ＰＥＳ（ｐｏｌｙｅｔｈｅｒ ｓｕｌｆｏｎｅ）、ＰＩ（ｐｏｌｙｉｍｉｄｅ）、ＰＭＭＡ（ＰｏｌｙＭｅｔｈｌｙ ＭｅｔｈａＡｃｒｙｌａｔｅ）のうちいずれか一つで形成される、請求項１に記載の３次元フィルタ一体型タッチパネル。
【請求項３】
前記第１の透明電極は、ＩＴＯ（Ｉｎｄｉｕｍ Ｔｉｎ Ｏｘｉｄｅ）、ＩＺＯ（Ｉｎｄｉｕｍ Ｚｉｎｃ Ｏｘｉｄｅ）、ＺｎＯ（Ｚｉｎｃ Ｏｘｉｄｅ）、炭素ナノチューブ（ＣＮＴ）、銀ナノワイヤ、導電性ポリマ、又はグラフェンから選ばれるいずれか一つで形成される、請求項１に記載の３次元フィルタ一体型タッチパネル。
【請求項４】
前記光遮断部は、金（Ａｕ）、銀（Ａｇ）、モリブデン（Ｍｏ）、銅（Ｃｕ）、アルミニウム（Ａｌ）のうちいずれか一つの金属又は二つ以上の合金を蒸着して形成される、請求項１に記載の３次元フィルタ一体型タッチパネル。
【請求項５】
前記第１の基板の上部に形成された第２の基板と、
前記第２の基板の上面に第２のパターンで形成された第２の透明電極と、
を更に備える請求項１に記載の３次元フィルタ一体型タッチパネル。
【請求項６】
第１の基板と、前記第１の基板の下面に光遮断部と光透明部とが交互に繰り返して形成される３次元フィルタとを含むタッチパネルと、
前記３次元フィルタの下部に左眼用イメージに対応する複数の第１のピクセルと右眼用イメージに対応する複数の第２のピクセルとで構成されるイメージ表示部と、
前記タッチパネルと前記イメージ表示部とを相互積層する第１の粘着剤と、
を具備する３次元フィルタ一体型タッチパネルを備える立体映像表示装置。
【請求項７】
前記イメージ表示部は、陰極線管、液晶表示素子、プラズマディスプレイパネル、電界放出表示装置及び有機発光ダイオードのうちいずれか一つである、請求項６に記載の３次元フィルタ一体型タッチパネルを備える立体映像表示装置。
【請求項８】
前記第１の基板の上面に第１のパターンで形成された第１の透明電極の上部に形成されるウインドウ層と、
前記第１の透明電極と前記ウインドウ層とを相互積層する第２の粘着剤と、
を更に具備する請求項６に記載の３次元フィルタ一体型タッチパネルを備える立体映像表示装置。
【請求項９】
前記第１の粘着剤又は前記第２の粘着剤は、
光学用透明粘着剤（ＯＣＡ）フィルム又はＵＶ硬化粘着剤を用いる、請求項６又は請求項８に記載の３次元フィルタ一体型タッチパネルを備える立体映像表示装置。
【請求項１０】
３次元フィルタの光透明部及び光遮断部が、タッチパネルに含まれる第１の基板の下面に交互に繰り返して形成され、
ウインドウ層が前記第１の基板の上面に形成された第１の透明電極の上部に第２の粘着剤を用いて積層され、
イメージ表示部が前記３次元フィルタの下部に第１の粘着剤を用いて積層される、３次元フィルタ一体型タッチパネルを備える立体映像表示装置の製造方法。
【請求項１１】
前記第１の粘着剤又は前記第２の粘着剤を用いた積層は、
ＳＶＲ、ＯＣＡ又はＵＶのうち少なくとも一つを、前記第１の粘着剤又は前記第２の粘着剤として用いて積層する、請求項１０に記載の３次元フィルタ一体型タッチパネルを備える立体映像表示装置の製造方法。
【請求項１２】
前記３次元フィルタの形成は、
金（Ａｕ）、銀（Ａｇ）、モリブデン（Ｍｏ）、銅（Ｃｕ）、アルミニウム（Ａｌ）のうち少なくとも一つの金属が前記第１の基板の下面に蒸着され、前記金属を前記光透明部及び前記光遮断部にパターニングする、請求項１０に記載の３次元フィルタ一体型タッチパネルを備える立体映像表示装置の製造方法。
【発明の詳細な説明】
【技術分野】
【０００１】
本発明は、３次元フィルタを含むタッチパネルの製造方法に関する。
【背景技術】
【０００２】
一般に、立体映像表示装置は、使用者の左眼と右眼とに互いに異なるイメージを提供して使用者が見る映像に距離感及び立体感を感じるようにする装置であって、使用者が偏光メガネのような装備を着用しなくても、立体映像が視聴できるオートステレオスコピ装置が公知されている。
【０００３】
通常のオートステレオスコピ装置は、レンチキュラレンズ又はパララックスバリアのような光学的分離素子（又は３次元フィルタ）を用いて、イメージ表示部で具現された左眼用イメージ及び右眼用イメージをそれぞれ使用者の左眼方向及び右眼方向に空間分割する方式を採用している。このようなオートステレオスコピ装置と関連する従来技術としては、米国特許第５,４６５,１７５号及び米国特許第６,０４６,８４９号などがある。 
【０００４】
パララックスバリアのような３次元フィルタを用いる立体映像表示装置は、ＬＣＤモジュールのようなイメージ表示部が、左眼用イメージ及び右眼用イメージに対応する複数のサブピクセルが任意のパターンを有して形成され、イメージ表示部の前面にパララックスバリアがサブピクセルアレイの列方向に沿って長く配列されたスリット形状の光遮断部と光透過部とからなる。
【０００５】
図１は、従来技術に係る３次元フィルタとタッチパネルとを含む立体映像表示装置の断面を示す断面図である。 
【０００６】
図１に示すように、従来の３次元フィルタ５００は、タッチパネル６００とは別にガラス５１０上に光遮断部５２０と光透明部５３０とが形成された状態で、タッチパネル６００及びＵＶレジン７００に精密工程によって積層（ｌａｍｉｎａｔｅ）される。その後、ＬＣＤモジュール８００が３次元フィルタ５００の下部に極微細工程によってＵＶレジン７１０で積層される。しかしながら、２回の積層工程（Ｌａｍｉｎａｔｉｏｎ）は、立体映像を実現するためのタッチパネル６００、３次元フィルタ５００及びＬＣＤモジュール８００の間の位置合わせの正確度を高めることに限界があった。
【発明の概要】
【発明が解決しようとする課題】
【０００７】
本発明の一実施例は、透明電極を含むタッチパネルの基板の一面に３次元フィルタを形成することによって、３次元フィルタとタッチパネルとを積層する工程を省略できる３次元フィルタ一体型タッチパネル、それを備えた立体映像表示装置及びその製造方法を提供する。
【０００８】
なお、本発明の一実施例は、３次元フィルタをタッチパネルに一体化させることによって、上記タッチパネルをＬＣＤモジュールのようなイメージ表示部と積層する工程だけを実施し、位置合わせの誤差を減らすことができる３次元フィルタ一体型タッチパネル、それを備えた立体映像表示装置及びその製造方法を提供する。
【課題を解決するための手段】
【０００９】
本発明の一実施例に係る３次元フィルタ一体型タッチパネルは、第１の基板の上面に第１のパターンで形成される第１の透明電極と、上記第１の基板の下面に光遮断部と光透明部とが交互に繰り返して形成される３次元フィルタとを含む。
【００１０】
上記第１の基板は、ポリエチレン樹脂、ＰＣ、ＰＥＳ、ＰＩ、ＰＭＭＡのうちいずれか一つで形成される。
【００１１】
上記第１の透明電極は、ＩＴＯ、ＩＺＯ、ＺｎＯ、炭素ナノチューブ、銀ナノワイヤ、導電性ポリマ、又はグラフェンから選ばれるいずれか一つで形成することができる。
【００１２】
上記光遮断部は、金（Ａｕ）、銀（Ａｇ）、モリブデン（Ｍｏ）、銅（Ｃｕ）、アルミニウム（Ａｌ）のうちいずれか一つの金属又は二つ以上の合金を蒸着して形成することができる。
【００１３】
上記３次元フィルタ一体型タッチパネルは、上記第１の基板の上部に形成された第２の基板と、上記第２の基板の上面に第２のパターンで形成された第２の透明電極とを更に含む。
【００１４】
本発明の一実施例に係る３次元フィルタ一体型タッチパネルが備えられた立体映像表示装置は、第１の基板と、上記第１の基板の下面に光遮断部と光透明部とが交互に繰り返して形成された３次元フィルタとを含むタッチパネルと、上記３次元フィルタの下部に左眼用イメージに対応する複数の第１のピクセルと右眼用イメージに対応する複数の第２のピクセルとで構成されるイメージ表示部と、上記タッチパネルと上記イメージ表示部とを相互積層する第１の粘着剤と、を含む。
【００１５】
上記イメージ表示部は、例えば、陰極線管、液晶表示素子、プラズマディスプレイパネル、電界放出表示装置及び有機発光ダイオードのうちいずれか一つである。
【００１６】
上記立体映像表示装置は、上記第１の基板の上面に第１のパターンで形成された第１の透明電極の上部に形成されるウインドウ層と、上記第１の透明電極と上記ウインドウ層とを相互積層する第２の粘着剤と、を更に含むことができる。
【００１７】
上記第１の粘着剤又は上記第２の粘着剤は、光学用透明粘着剤（ＯＣＡ）フィルム又はＵＶ硬化粘着剤を用いることができる。
【００１８】
本発明の一実施例に係る３次元フィルタ一体型タッチパネルが備えられた立体映像表示装置の製造方法は、３次元フィルタの光透明部及び光遮断部が第１の基板の下面に交互に繰り返して形成され、ウインドウ層が上記第１の基板の上面に形成された第１の透明電極の上部に第２の粘着剤を用いて積層され、イメージ表示部が上記３次元フィルタの下部に第１の粘着剤を用いて積層される。
【発明の効果】
【００１９】
本発明の一実施例によると、透明電極を含むタッチパネルの基板の一面に３次元フィルタを形成することによって、３次元フィルタと上記タッチパネルとを積層する工程を省略することができる。
【００２０】
本発明の一実施例によると、３次元フィルタをタッチパネルに一体化させることによって、上記タッチパネルをＬＣＤモジュールのようなイメージ表示部と積層する工程だけを実施し、位置合わせの誤差を減らすことができる。
【図面の簡単な説明】
【００２１】
【図１】従来技術に係る３次元フィルタとタッチパネルとを含む立体映像表示装置の断面を示す断面図である。
【図２】本発明の一実施例に係る３次元フィルタ一体型タッチパネルの断面を示す断面図である。
【図３】本発明の一実施例に係る３次元フィルタ一体型タッチパネルを備えた立体映像表示装置の断面を示す断面図である。
【図４】本発明の一実施例に係る３次元フィルタ一体型タッチパネルを備えた立体映像表示装置の製造方法の手順を示す流れ図である。
【発明を実施するための形態】
【００２２】
以下、添付の図面を参照して本発明の様々な実施例を詳細に説明するが、本発明はこれらの実施例によって限定されるものではない。
【００２３】
図２は、本発明の一実施例に係る３次元フィルタ一体型タッチパネルの断面を示す断面図である。 
【００２４】
図２に示すように、３次元フィルタ一体型タッチパネル１０（以下、「タッチパネル」とする。）は、第１の基板１００及び第１の透明電極１１０の下に、光遮断部１２２と光透明部１２４とが交互に繰り返して形成された３次元フィルタ１２０を含む。
【００２５】
実施例において、タッチパネル１０は、２層タッチパネルとして形成され、第１の基板１００の上に第２の基板１５０と第２の透明電極１６０とを更に含むことができる。以下では、タッチパネル１０が、第１の基板１００と第２の基板１５０とを含む「２層タッチパネル」として説明する。
【００２６】
しかしながら、実施例に従って、タッチパネル１０は、「１層タッチパネル」として形成され、第２の基板１５０と第２の透明電極１６０とを含まなくてもよい。又は、タッチパネル１０は、第１の基板１００の下面と３次元フィルタ１２０との間に、第２のパターンで形成される第２の透明電極を更に含むことによって、３次元フィルタ１２０を上記第２の透明電極の下面に形成することも可能である。
【００２７】
実施例において、第１の基板１００又は第２の基板１５０は、ポリエチレン樹脂（ｐｏｌｙｅｔｈｙｌｅｎｅ ｔｅｒｅｐｈｔａｌｅｔｅ、ＰＥＴ）、ＰＣ（ｐｏｌｙｃａｒｂｏｎａｔｅ）、ＰＥＳ（ｐｏｌｙｅｔｈｅｒ ｓｕｌｆｏｎｅ）、ＰＩ（ｐｏｌｙｉｍｉｄｅ）、ＰＭＭＡ（ＰｏｌｙＭｅｔｈｌｙ ＭｅｔｈａＡｃｒｙｌａｔｅ）のうちいずれか一つによって形成することができる。
【００２８】
上記第１の透明電極又は上記第２の透明電極は、ＩＴＯ（Ｉｎｄｉｕｍ Ｔｉｎ Ｏｘｉｄｅ）、ＩＺＯ（Ｉｎｄｉｕｍ Ｚｉｎｃ Ｏｘｉｄｅ）、ＺｎＯ（Ｚｉｎｃ Ｏｘｉｄｅ）、炭素ナノチューブ（ＣＮＴ）、銀ナノワイヤ、導電性ポリマ、又はグラフェンから選ばれるいずれか一つで形成することができる。
【００２９】
上記第１のパターン又は上記第２のパターンは、複数の円形、半円形、四角形、多角形、レンチキュラ形状のうち少なくとも一つの形状に形成され、形成された形態が垂直に繰り返して連結されるように形成される。ただし、上記第２のパターンは、上記第１のパターンと同じ形状に形成され、上記第１のパターンと直交する方向に形成することができる。 
【００３０】
３次元フィルタ１２０は、別の基板を使わず、タッチパネル１０を構成する第１の基板１００の下面（又は、背面）に直接光遮断部１２２と光透明部１２４とを形成することによって、パララックスバリアとして形成することができる。 
【００３１】
したがって、本発明によると、タッチパネルを形成する第１の基板に３次元フィルタを形成することによって、タッチパネルと３次元フィルタとを積層する工程を省略することができる。参考として、従来は、タッチパネルと３次元フィルタとを別に作製した後、それぞれの作製されたタッチパネルと３次元フィルタとを積層しなければならなかった。しかしながら、本発明では、タッチパネルと３次元フィルタとを積層する工程を実施しないので、作製工程を簡素化することができる。図３は、本発明の一実施例に係る３次元フィルタ一体型タッチパネルを備えた立体映像表示装置の断面を示す断面図である。 
【００３２】
図３に示すように、３次元フィルタ一体型タッチパネルを備えた立体映像表示装置（以下、「立体映像表示装置」とする）は、タッチパネル１０、イメージ表示部２０及び第１の粘着剤４０を含んで構成する。 
【００３３】
タッチパネル１０は、「１層タッチパネル」として形成することができる。この場合、タッチパネル１０は、第１の基板と、上記第１の基板の上面に第１パターンで形成される第１の透明電極と、上記第１の基板の下面に光遮断部と光透明部とが交互に繰り返して形成される３次元フィルタとを含むことができる。
【００３４】
実施例において、タッチパネル１０は、上記第１の基板の下面と上記３次元フィルタとの間に、第２のパターンで形成される第２の透明電極を更に含むことによって、上記３次元フィルタを上記第２の透明電極の下面に形成することも可能である。
【００３５】
他の実施例において、タッチパネル１０は、「２層タッチパネル」として形成することができる。この場合、タッチパネル１０は、第２の基板と上記第２の基板の上面に第２の透明電極１６０を形成し、上記第２の基板の下面に第１の透明電極を含む第１基板と、上記第１基板の下面に光遮断部と光透明部とが交互に繰り返して形成される３次元フィルタとを含むことができる。
【００３６】
上記第１の透明電極及び上記第２の透明電極は、それぞれ第１のパターンと第２のパターンで形成され、タッチ位置に対応する水平及び垂直の平面座標位置を認識できるように構成することができる。
【００３７】
基板、透明電極、パターンについての説明は、図２によって詳細に説明したので、図３ではそれらの説明を省略する。
【００３８】
図２を参考にして説明すると、３次元フィルタ１２０は、第１の基板１００の下面に、光遮断部１２２と光透明部１２４とがストライプ状に交互に繰り返して形成され、３次元立体映像の実現のために、選択的に光遮断と光透過とができるパララックスバリアとしての役割をする。すなわち、３次元フィルタ１２０は、下部に位置するイメージ表示部２０を構成する第１のピクセル及び第２のピクセルに対して正確に位置合わせされ、第１のピクセル及び第２のピクセルに対応する左眼用イメージ及び右眼用イメージが選択的に遮断及び透過されるように作用する。光遮断部１２２は、金（Ａｕ）、銀（Ａｇ）、モリブデン（Ｍｏ）、銅（Ｃｕ）、アルミニウム（Ａｌ）のうちいずれか一つの金属又は二つ以上の合金を蒸着して形成することができる。
【００３９】
実施例において、上記立体映像表示装置は、上記第１の基板の上部にウインドウ層３０を含むこともできる。
【００４０】
上記立体映像表示装置は、イメージ表示部２０をタッチパネル１０の下部に直接積層させることによって、容易かつ正確な位置合わせが可能であり、これによって、イメージ表示部２０から放出される左眼用イメージ及び右眼用イメージの光遮断と光透過との調節によって３次元映像の実現が可能である。
【００４１】
イメージ表示部２０は、３次元フィルタ１２０の下部に左眼用イメージに対応する複数の第１のピクセルと右眼用イメージに対応する複数の第２のピクセルとで構成することができる。そのために、赤色（Ｒ）、緑色（Ｇ）及び青色（Ｂ）のサブピクセルが所定のパターンを形成するカラーフィルタ（図示せず）で構成することができる。このようなイメージ表示部２０は、陰極線管（ＣＲＴ）、液晶表示素子（ＬＣＤ）、プラズマディスプレイパネル（ＰＤＰ）、電界放出表示装置（ＦＥＤ）及び有機発光ダイオード（ＯＬＥＤ）のうちいずれか一つで構成することができる。
【００４２】
第１の粘着剤４０は、３次元フィルタ１２０とイメージ表示部２０とを付着させるための構成であり、第２の粘着剤５０は、第１の透明電極１１０とウインドウ層３０とを付着させるための構成である。
【００４３】
第１の粘着剤４０及び第２の粘着剤５０は、例えば、光学用透明粘着剤（ＯＣＡ）フィルム又はＵＶ硬化粘着剤が使用される。ＯＣＡフィルムは、例えば補修可能（Ｒｅ-ｗｏｒｋａｂｌｅ）ＯＣＡフィルムが使用される。ＵＶ硬化粘着剤を使用するときは、例えば光学弾性樹脂（Ｓｕｐｅｒ Ｖｉｅｗ Ｒｅｓｉｎ：ＳＶＲ）工法が用いられる。
【００４４】
図４は、本発明の一実施例に係る３次元フィルタ一体型タッチパネルを備えた立体映像表示装置の製造方法の手順を示す流れ図である。 
【００４５】
図４を参考すると、
【００４６】
３次元フィルタ一体型タッチパネルを備えた立体映像表示装置の製造方法（以下、「製造方法」とする。）は、３次元フィルタ１２０の光透明部１２４及び光遮断部１２２が、タッチパネル１０に含まれた第１の基板１００の下面に交互に繰り返して形成されるようにする（Ｓ１０）。ここでは、タッチパネル１０は「１層静電容量タッチパネル」であり、これを対象に説明する。上記の製造方法は、３次元フィルタ１２０の形成以前に、第１の透明電極１１０が第１の基板１００の上面に第１のパターンで形成されるようにできる。
【００４７】
タッチパネル１０が「２層静電容量タッチパネル」である場合は、３次元フィルタ１２０の形成（Ｓ１０）以前に、第１の基板１００の上部に第２の基板１５０が配置され、第２の基板１５０の上に第２のパターンを有する第２の透明電極１６０が形成されるステップが更に含まれる。ウインドウ層３０は、第１の透明電極１１０の上部に第２の粘着剤５０を用いて積層される（Ｓ２０）。ここでも、２層静電容量タッチパネルの場合、ウインドウ層３０は第２の透明電極１６０の上部に積層される。
【００４８】
イメージ表示部２０は、３次元フィルタ１２０の下部に第１の粘着剤４０を用いて積層される（Ｓ３０）。 
【００４９】
イメージ表示部２０は、左眼用イメージに対応する複数の第１のピクセルと右眼用イメージに対応する複数の第２のピクセルとによって構成することができる。
【００５０】
ここで、３次元フィルタ１２０の形成（Ｓ１０）は、金（Ａｕ）、銀（Ａｇ）、モリブデン（Ｍｏ）、銅（Ｃｕ）、アルミニウム（Ａｌ）のうち少なくとも一つの金属が、第１の基板１００の下面に蒸着され、その金属を光透明部１２４及び光遮断部１２２にパターニングする過程が行われる。特に、金属のパターニング過程は、蒸着された金属に露光、現像、エッチングを含むフォトリソグラフィ工程によって行われる。
【符号の説明】
【００５１】
１０    タッチパネル
１００    第１の基板
１１０    第１の透明電極
１２０    ３次元フィルタ
１２２    光遮断部
１２４    光透明部
１５０    第２の基板
１６０    第２の透明電極
２０    イメージ表示部
３０    ウインドウ層
４０    第１の粘着剤
５０    第２の粘着剤
【図１】
2012160181.tif 000003
【図２】
2012160181.tif 000004
【図３】
2012160181.tif 000005
【図４】
2012160181.tif 000006